(57)【要約】【課題】診療時に常時吹出される空気を少なくすることで、患者に与える不快感を低減させながら、簡単な構成とすることで製造時のコストダウンと製品の軽量化を図ることができ、さらに洗浄及び消毒も容易にできるデンタルミラーを提供する。【解決手段】空気を供給するホースが接続され、鏡面に空気を吹付けることで前記鏡面に生じる曇り又は付着した水滴を除去するデンタルミラーにおいて、前記鏡面に向かって空気を吹出す吹出口、前記吹出口に連通する第１空気経路、前記第１空気経路が内部に構成され一端に前記鏡面が配置された管状の鏡面支持部を有する先端部と、一端に前記鏡面支持部の他端が接続される第１接続部、他端に前記ホースが接続される第２接続部、前記第１接続部から前記第２接続部に連通する第２空気経路が内部に構成され、側面に前記第２空気経路と連通する空気抜き穴が設けられた管状の掴持部を有する本体部と、を備えたことを特徴とする。【選択図】図１
2015216944.tif 000002
【特許請求の範囲】
【請求項１】
空気を供給するホースが接続され、鏡面に供給された空気を吹付けることで前記鏡面に生じる曇り又は付着した水滴を除去するデンタルミラーにおいて、
前記鏡面に向かって空気を吹出す吹出口、前記吹出口に空気を流通させる第１空気経路が内部に構成され一端に前記鏡面が配置された管状の鏡面支持部を有する先端部と、
一端に前記鏡面支持部の他端が接続される第１接続部、他端に前記ホースが接続される第２接続部、前記第２接続部から前記第１接続部に空気を流通させる第２空気経路が内部に構成され側面に前記第２空気経路と連通する空気抜き穴が設けられた管状の掴持部を有する本体部と、
を備えたことを特徴とするデンタルミラー。
【請求項２】
前記空気抜き穴が長穴状に構成されていることを特徴とする請求項１に記載のデンタルミラー。
【請求項３】
前記本体部に嵌挿されるスリーブを備え、
前記スリーブを前記本体部の軸方向に沿って移動させることにより、前記空気抜き穴を任意に開閉できることを特徴とする請求項１又は２に記載のデンタルミラー。
【請求項４】
前記本体部のうち前記空気抜き穴がある位置に嵌挿される、側面に開口部が設けられたスリーブを備え、
前記スリーブを回動させ前記開口部を移動させることにより、前記空気抜き穴を任意に開閉できることを特徴とする請求項１又は２に記載のデンタルミラー。
【請求項５】
前記開口部が前記スリーブの周方向に沿って漸次狭くなっていることを特徴とする請求項４に記載のデンタルミラー。
【請求項６】
前記空気抜き穴より前記鏡面側の前記第２空気経路及び前記第１空気経路のうち少なくとも一部の断面積が、前記空気抜き穴の断面積及び前記空気抜き穴から前記ホース側の第２空気経路の断面積より小さくなっていることを特徴とする請求項１ないし５のいずれか１項に記載のデンタルミラー。
【発明の詳細な説明】
【技術分野】
【０００１】
本発明は、口腔内の診療時に、歯の裏側等の直接目視することが困難な部分を観察するためのデンタルミラーに関する。
【背景技術】
【０００２】
従来、口腔内の診療時に用いられるデンタルミラーにおいて、使用時に生じる鏡面の曇り又は水滴の付着を除去する目的で、実開昭５９−１３５７０３号公報等に、本体部に空気を供給するホースを接続し、この空気を鏡面近傍に設けた吹出口より吹出すことで鏡面に吹付け、鏡面に生じる曇り又は水滴の付着を除去するデンタルミラーが開示されている。
【先行技術文献】
【特許文献】
【０００３】
【特許文献１】実開昭５９−１３５７０３号公報
【発明の概要】
【発明が解決しようとする課題】
【０００４】
しかし、特許文献１に開示されているデンタルミラーでは、診療時において患者の口腔内に、鏡面に生じた曇りや水滴の付着を除去するのに必要な量の空気が常時吹出され、患者が不快感を覚える恐れがあるという課題があった。この課題は、空気の供給状態を制御するバルブを設けることで解決されるが、係る場合、その構成が複雑となってしまうという課題が新たに発生してしまう恐れがあるとともに、デンタルミラーは、使用後に洗浄し高温高圧の蒸気等を用いて消毒する必要があるため、バルブ等を高温高圧の蒸気に耐えることができる構成とする必要もあった。
【０００５】
本発明は上記の点に鑑みなされたもので、診療時に常時吹出される空気を少なくすることで、患者に与える不快感を低減させながら、簡単な構成とすることで製造時のコストダウンと製品の軽量化を図ることができ、さらに洗浄及び消毒も容易にできるデンタルミラーを提供することを目的とする。
【課題を解決するための手段】
【０００６】
本発明のデンタルミラーは、
空気を供給するホースが接続され、鏡面に供給された空気を吹付けることで前記鏡面に生じる曇り又は付着した水滴を除去するデンタルミラーにおいて、
前記鏡面に向かって空気を吹出す吹出口、前記吹出口に空気を流通させる第１空気経路が内部に構成され一端に前記鏡面が配置された管状の鏡面支持部を有する先端部と、
一端に前記鏡面支持部の他端が接続される第１接続部、他端に前記ホースが接続される第２接続部、前記第２接続部から前記第１接続部に空気を流通させる第２空気経路が内部に構成され側面に前記第２空気経路と連通する空気抜き穴が設けられた管状の掴持部を有する本体部と、
を備えたことを特徴とする。
【０００７】
本発明のデンタルミラーによれば、第２空気経路と連通する空気抜き穴を本体部の側面に設けたため、空気抜き穴を指で塞がないときは、空気抜き穴から空気が抜け、吹出口から吹出される空気の量が低減される。これにより、患者に与える不快感を低減させることができる。また、空気抜き穴を指で塞ぐことにより、ホースから供給される空気の全量が吹出口より吹出され、鏡面に生じた曇り又は水滴の付着を効果的に除去することができ、簡単な構成及び操作で吹出口からの空気の吹出量を制御することができる。また、構成が簡単なため、製造時のコストダウンと製品の軽量化を図ることができるとともに、デンタルミラーの洗浄及び消毒を容易にすることができる。
【０００８】
本発明のデンタルミラーの好ましい例は、
前記空気抜き穴が長穴状に構成されていることを特徴とする。
【０００９】
本発明のデンタルミラーの好ましい例によれば、空気抜き穴が長穴状に構成されているため、空気抜き穴の一部のみ指で塞ぐことができ、吹出口から吹出される空気の量を調整することができる。
【００１０】
本発明のデンタルミラーの好ましい例は、
前記本体部に嵌挿されるスリーブを備え、
前記スリーブを前記本体部の軸方向に沿って移動させることにより、前記空気抜き穴を任意に開閉できることを特徴とする。
【００１１】
本発明のデンタルミラーの好ましい例によれば、スリーブを本体部の軸方向に沿って移動させることにより、空気抜き穴を任意に開閉できるため、指で空気抜き穴を直接開閉する操作をすることなく、空気抜き穴の開閉状態を保持することができる。
【００１２】
本発明のデンタルミラーの好ましい例は、
前記本体部のうち前記空気抜き穴がある位置に嵌挿される、側面に開口部が設けられたスリーブを備え、
前記スリーブを回動させ前記開口部を移動させることにより、前記空気抜き穴を任意に開閉できることを特徴とする。
【００１３】
本発明のデンタルミラーの好ましい例によれば、スリーブを回動させることにより開口部と空気抜き穴を重ねて空気抜き穴を開放する、又はスリーブの開口部以外の部分で空気抜き穴を塞ぐことができ、指で空気抜き穴を直接開閉する操作をすることなく、空気抜き穴の開閉状態を保持することができる。
【００１４】
本発明のデンタルミラーの好ましい例は、
前記開口部が前記スリーブの周方向に沿って漸次狭くなっていることを特徴とする。
【００１５】
本発明のデンタルミラーの好ましい例によれば、開口部がスリーブの周方向に沿って漸次狭くなっているため、スリーブを回動させたときに、開口部と空気抜き穴との重なりが次第に少なくなる。これにより、空気抜き穴から抜ける空気を次第に少なくさせることができ、吹出口から吹出される空気の量を調整することが容易となるとともに、調整した空気の量を保持することができる。
【００１６】
本発明のデンタルミラーの好ましい例は、
前記空気抜き穴より前記鏡面側の前記第２空気経路及び前記第１空気経路のうち少なくとも一部の断面積が、前記空気抜き穴の断面積及び前記空気抜き穴から前記ホース側の第２空気経路の断面積より小さくなっていることを特徴とする。
【００１７】
本発明のデンタルミラーの好ましい例によれば、空気抜き穴より鏡面側において、空気の流通する経路が狭くなっているため、狭くなっている部分より空気抜き穴側の空気の圧力が高くなる。これにより、空気抜き穴を開放しているとき、ホースから供給される空気の殆どが空気抜き穴から抜け、吹出口から吹出される空気の量をより少なくすることができ、患者に与える不快感をより低減させることができる。
【発明の効果】
【００１８】
以上説明したように、本発明のデンタルミラーによれば、診療時に常時吹出される空気を少なくすることで、患者に与える不快感を低減させながら、簡単な構成とすることで製造時のコストダウンと製品の軽量化を図ることができ、さらに洗浄及び消毒も容易にすることができる。
【図面の簡単な説明】
【００１９】
【図１】本発明の一実施形態に係るデンタルミラーを示す図である。
【図２】本発明の他の実施形態に係るデンタルミラーを示す図である。
【図３】スリーブを示す図である
【発明を実施するための形態】
【００２０】
以下、本発明のデンタルミラーの実施の形態について、添付図面を参照して詳細に説明する。
【００２１】
［第１実施形態］
図１（Ａ）は本発明の第１実施形態に係るデンタルミラー１の正面図、図１（Ｂ）は同じくデンタルミラー１の側面図である。図１（Ａ）（Ｂ）に示すように、本実施形態のデンタルミラー１は、先端部１０と本体部２０とを備える。
【００２２】
先端部１０は、鏡面１１、吹出口１２、第１空気経路１３、鏡面支持部１４を備える。鏡面１１は、鏡面支持部１４の一端に支持具１５によって設けられ、患者の口腔内を観察するためのものである。吹出口１２は、鏡面１１に向かって空気を吹出すためのもので、鏡面支持部１４の一端に設けられる。第１空気経路１３は、吹出口１２から空気を吹出すために空気を流通させるためのもので、鏡面支持部１４と一体に構成される。鏡面支持部１４は、管状部材からなり、その中空の内部が第１空気経路１３となっている。また鏡面支持部１４の他端は、本体部２０に接続される。なお、第１空気経路１３の断面積は、後述する第２空気経路２３及び空気抜き穴２４の断面積より小さく構成されている。
【００２３】
本体部２０は、第１接続部２１、第２接続部２２、第２空気経路２３、空気抜き穴２４、掴持部２５を備える。第１接続部２１は、掴持部２５の一端に設けられ、上記の鏡面支持部１４の他端が接続される。第２接続部２２は、掴持部２５の他端に設けられ、空気を供給するための図示しないホースが接続される。第２空気経路２３は、第１接続部２１から第２接続部２２に連通し、ホースから供給された空気を上記の第１空気経路１３に流通させる。空気抜き穴２４は、掴持部２５の側面に設けられ、第２空気経路２３と連通している。この空気穴は、掴持部２５の軸方向に長い長穴状をなしている。掴持部２５は、第１接続部２１側の第１掴持部２６と、第２接続部２２側の第２掴持部２７とから構成され、管状部材からなり、その中空の内部が第２空気経路２３となっている。また、第２掴持部２７に空気抜き穴２４が設けられている。
【００２４】
なお、鏡面支持部１４と第１接続部２１、第１接続部２１と第１掴持部２６、第１掴持部２６と第２掴持部２７、第２掴持部２７と第２接続部２２の接続の方法としては、例えば、ネジ接合等の公知の方法が用いられる。また、第１掴持部２６と第２掴持部２７との接続は、互いを自在に回動させることができる構成としてもよく、空気抜き穴２４を鏡面１１に対して任意の位置で固定するために、ネジ接合の雄ネジ側にナットを入れ、該ナットで固定する構成としてもよい。
【００２５】
また、鏡面支持部１４と第１接続部２１、第１接続部２１と第１掴持部２６、第１掴持部２６と第２掴持部２７、第２掴持部２７と第２接続部２２の接続の他の方法には、いわゆるワンタッチ管継手、配管カプラ等の継手を用いることができる。なお、第１接続部２１、第１掴持部２６、第２掴持部２７、第２接続部２２は、任意の組み合わせで一体に構成しても良いし、別々の部材で構成しても良い。
【００２６】
次に、本実施形態のデンタルミラー１の使用方法を説明する。先ず、第２接続部２２に図示しないホースを接続し、当該ホースから空気を供給させる。このとき、第１空気経路１３の断面積が第２空気経路２３及び空気抜き穴２４の断面積より小さく構成されているため、第１空気経路１３内の空気の圧力より第２空気経路２３内の空気の圧力が高くなる。これにより、空気抜き穴２４を塞がない状態において、供給された空気は、殆どが空気抜き穴２４より抜けていき、吹出口１２から吹出される空気の量は僅かなものとなる。
【００２７】
次に、デンタルミラー１が、施術者により患者の口腔内に差し込まれる。すると患者の呼気や他の治療機器から出される水等により、鏡面１１に曇りが生じたり水滴が付着したりする。そこで、施術者が指等で空気抜き穴２４を塞ぐことにより、それまで空気抜き穴２４から抜けていた空気が吹出口１２より吹出され、鏡面１１の曇りや水滴を除去する。また、空気抜き穴２４が長穴状となっているため、空気抜き穴２４の一部のみを覆うこともでき、空気抜き穴２４から抜ける空気の量を調節することで、吹出口１２から吹出される空気の量を任意に決めることもできる。
【００２８】
［第２実施形態］
次に、本発明の第２実施形態に係るデンタルミラー２を説明する。図２（Ａ）は本実施形態のデンタルミラー２を示す図、図３（Ａ）は本実施形態のデンタルミラー２に用いられるスリーブの拡大図である。なお、第１実施形態と同様の箇所は、図面に同じ符号を付して説明を省略する。
【００２９】
図２（Ａ）に示すように、本実施形態のデンタルミラー２は、先端部１０と本体部２０とスリーブ４０とを備える。先端部１０は、鏡面１１、吹出口１２、第１空気経路１３、鏡面支持部１４を備え、その構成は第１実施形態と同様である。
【００３０】
本体部２０は、第１接続部２１、第２接続部２２、第２空気経路２３、空気抜き穴２４、第１掴持部２６、第２掴持部２８を備え、第１接続部２１、第２接続部２２、第２空気経路２３、空気抜き穴２４、第１掴持部２６の構成は第１実施形態と同様である。第２掴持部２８は、その外径が第１掴持部２６より一回り小さく構成され、その周囲にネジ４３ａが設けられている。なお、第１空気経路１３及び第２空気経路２３の構成は、図１（Ｂ）を参照すれば理解できるため、記載を省略している。
【００３１】
また、図３（Ａ）に示すように、スリーブ４０は、円筒形をなし、その内面に第２掴持部２８に設けられたネジ４３ａに対応するネジ４３ｂが設けられている。そして、スリーブ４０は第２掴持部２８に設けられたネジ４３ａと螺合されることにより、第２掴持部２８に嵌挿される。
【００３２】
次に、本実施形態のデンタルミラー２の使用方法を説明する。ホースを接続し、空気を供給するところは第１実施形態と同様である。次に、空気抜き穴２４から抜ける空気の量を調節するには、スリーブ４０を第２掴持部２８に対して回動させる。これにより、ネジ４３ａ，４３ｂの作用によりスリーブ４０が本体部２０の軸方向に沿って移動し、空気抜き穴２４を開閉するのである。本実施形態では、スリーブ４０は第２掴持部２８と螺合されているため、空気抜き穴２４の開閉具合の微調整を容易にすることができ、さらに、その開閉状態を保持することができる。
【００３３】
［第３実施形態］
次に、本発明の第３実施形態に係るデンタルミラー３を説明する。図２（Ｂ）は本実施形態のデンタルミラー３を示す図、図３（Ｂ）（Ｃ）は本実施形態のデンタルミラー３に用いられるスリーブ４１，４２の拡大図である。なお、第１実施形態と同様の箇所は、図面に同じ符号を付して説明を省略する。
【００３４】
図２（Ｂ）に示すように、本実施形態のデンタルミラー３は、先端部１０と本体部２０とスリーブ４１とを備える。先端部１０は、鏡面１１、吹出口１２、第１空気経路１３、鏡面支持部１４を備え、その構成は第１実施形態と同様である。
【００３５】
本体部２０は、第１接続部２１、第２接続部２２、第２空気経路２３、空気抜き穴２４、第１掴持部２６、第２掴持部２９を備え、第１接続部２１、第２接続部２２、第２空気経路２３、空気抜き穴２４、第１掴持部２６の構成は第１実施形態と同様である。第２掴持部２９は、その外径が第１掴持部２６より一回り小さく構成されている。なお、第１空気経路１３及び第２空気経路２３の構成は、図１（Ｂ）を参照すれば理解できるため、記載を省略している。
【００３６】
また、図３（Ｂ）に示すように、スリーブ４１は、円筒形をなし、その側面にスリーブ４１の周方向に沿って漸次狭くなる開口部４４を備える。そして、スリーブ４１の内径と第２掴持部２９の外径は略同じ大きさに構成され、スリーブ４１は第２掴持部２９に嵌挿されるとともに、任意の位置に回動させることができる。なお、スリーブ４１と第２掴持部２９との嵌め合いは、スリーブ４１がその自重により脱落や移動することがなく、かつ人の手の力でスリーブ４１を回動させることができる程度のものが好ましい。また、図３（Ｃ）に示すように、スリーブ４２の一部に切り欠き４５を入れ、スリーブ４２を断面略Ｃ字状とすることもできる。係る場合、スリーブ４２は、その内径を第２掴持部２９の外径より小さく構成するとともに、金属又は合成樹脂等の弾性力を有する素材で構成され、その弾性力によって第２掴持部２９に係着させることが好ましい。
【００３７】
次に、本実施形態のデンタルミラー３の使用方法を説明する。ホースを接続し、空気を供給するところは第１実施形態と同様である。このとき、空気抜き穴２４から抜ける空気の量を調節するには、第２掴持部２９に嵌挿させたスリーブ４１，４２を、第２掴持部２９に対して回動させる。これにより、開口部４４と空気抜き穴２４が重なれば空気抜き穴２４から空気が抜け、重ならなければスリーブ４１，４２の壁部分で空気抜き穴２４を塞ぐこととなる。また、開口部４４は、略三角形をなし、スリーブ４１，４２の周方向に沿って漸次狭くなっているため、狭くなっている部分を空気抜き穴２４に重ねることにより、空気抜き穴２４から抜ける空気の量を調整することができる。
【００３８】
以上説明したように、本発明に係るデンタルミラーによれば、空気抜き穴を塞がないときは、供給される空気が吹出口より殆ど吹出されず、患者に与える不快感を低減させることができる。また、通常の機械的なバルブが不要なため、簡単な構成とすることで製造時のコストダウンと製品の軽量化を図ることができる。また、構造が簡易なため、使用毎になされる洗浄及び消毒も容易に行うことができる。また、空気抜き穴が長穴状となっているため、空気抜き穴の一部のみ塞ぐことができ、吹出口から吹出される空気の量を調整することもできる。
【００３９】
また、第２実施形態、第３実施形態のデンタルミラーによれば、スリーブを用いて空気抜き穴の開閉を行うため、指等で空気抜き穴を塞ぐ必要がなくなり、施術者の負担を低減させることができる。また、スリーブは動かした位置に止まるため、調整した空気の量を保持することができる。また、施術時において、スリーブがデンタルミラーの手前側端部近傍にあるため、デンタルミラーを患者の口腔内に入れたままの状態で、スリーブの位置の調整をすることができる。
【００４０】
なお、上述のデンタルミラーは、本発明の例示であり、本発明の趣旨を逸脱しない範囲において、その構成を適宜変更することができる。例えば、第２実施形態において、第２掴持部とスリーブとの接続はネジに限られず、スリーブを弾性力のある素材で構成するとともに切り欠きを入れ断面略Ｃ字状とし、弾性力で保持させるようにしてもよい。
【符号の説明】
【００４１】
１，２，３・・デンタルミラー、
１０・・先端部、１１・・鏡面、１２・・吹出口、１３・・第１空気経路、１４・・鏡面支持部、１５・・支持具、
２０・・本体部、２１・・第１接続部、２２・・第２接続部、２３・・第２空気経路、２４・・空気抜き穴、２５・・掴持部、２６・・第１掴持部、２７，２８，２９・・第２掴持部、
４０，４１，４２・・スリーブ、４３ａ，４３ｂ・・ネジ、４４・・開口部、４５・・切り欠き、
【図１】
2015216944.tif 000003
【図２】
2015216944.tif 000004
【図３】
2015216944.tif 000005